(57)【要約】【課題】顔拡大画像及び被写体画像の全体画像の確認を容易にしつつ、省電力化する。【解決手段】デジタルカメラ１０のカメラ本体１０ａの背面に第１ＬＣＤ２０を設ける。カメラ本体１０ａの上面に、カメラ本体１０ａ内に収納された収納位置、及びカメラ本体１０ａから突出した突出位置に移動可能な第２ＬＣＤ４０を設ける。撮像時に人物８０の顔を検出する顔検出を行う。人物８０の顔領域８１が特定されたら、顔領域８１内の顔画像８２を拡大した顔拡大画像８６を第２ＬＣＤ４０に表示する。第１ＬＣＤ２０に被写体画像の全体画像８５を表示する。人物８０の顔が検出されない場合や第２ＬＣＤ４０が突出位置にないときに、第２ＬＣＤ４０をオフにする。顔拡大画像８６及び全体画像８５の確認が容易になり、さらに２画面表示の際の省電力化を図ることができる。【選択図】図６
2008236489.tif 000002
【特許請求の範囲】
【請求項１】
画像が入力される画像入力手段と、
前記画像の全体画像を表示する全体画像用モニタと、
前記画像を解析して主要被写体像を検出する主要被写体像検出手段と、
前記主要被写体像検出手段により検出された前記主要被写体像を拡大処理する画像拡大処理手段と、
前記主要被写体像の拡大画像を表示する拡大画像用モニタと、
前記拡大画像用モニタを、前記拡大画像を表示する通常表示モードと、前記拡大用モニタをオフにする表示停止モード、または前記通常表示モード時よりも前記拡大画像用モニタの輝度を低くした低輝度表示モードの少なくともいずれか一方とに切替可能な第１表示モード切替手段とを備えることを特徴とする表示装置。
【請求項２】
前記第１表示モード切替手段は、前記主要被写体像検出手段により前記主要被写体像が検出される第１条件が満たされないときは、前記拡大画像用モニタを前記表示停止モードに切り替えることを特徴とする請求項１記載の表示装置。
【請求項３】
前記拡大画像用モニタは、前記画像入力手段を収納する筐体内に収納された収納状態と、前記筐体から突出した突出状態とに移動可能に保持されているとともに、前記拡大画像用モニタが前記突出状態にあるか否かを検出するモニタ状態検出手段を備え、
前記第１表示モード切替手段は、前記拡大画像用モニタが前記突出状態にある第２条件が満たされないときは、前記拡大画像用モニタを前記表示停止モードに切り替えることを特徴とする請求項１または２記載の表示装置。
【請求項４】
前記拡大画像用モニタに前記拡大画像を表示するための操作を行う操作スイッチを備えており、
前記第１表示モード切替手段は、前記操作スイッチが操作される第３条件を満たしていないときは、前記拡大画像用モニタを前記表示停止モードに切り替えることを特徴とする請求項１ないし３いずれか１項記載の表示装置。
【請求項５】
装置全体に電力を供給する電池と、
前記電池の電池残量を検出する電池残量検出手段と、
前記電池残量が所定の閾値を下回ったか否かを判定する判定手段とを備え、
前記第１表示モード切替手段は、前記電池残量が前記閾値を超えている第４条件が満たされないときは、前記拡大画像用モニタを前記表示停止モードに切り替えることを特徴とする請求項１ないし４いずれか１項記載の表示装置。
【請求項６】
前記全体画像用モニタを、前記全体画像をモニタ画面全体に表示する全画面表示モードと、前記モニタ画面に前記全体画像及び前記拡大画像を並べて表示する画像同時表示モードとに切替可能な第２表示モード切替手段を備え、
前記第２表示モード切替手段は、前記拡大画像用モニタが前記表示停止モードに切り替えられた際に前記第１条件が満たされていれば、前記全体画像用モニタを前記画像同時表示モードに切り替えることを特徴とする請求項１ないし５いずれか１項記載の表示装置。
【請求項７】
前記拡大画像用モニタに前記拡大画像を表示するための操作を行う操作スイッチを備えており、
前記第１表示モード切替手段は、前記第１及び第２条件が満たされたときに、前記操作スイッチが操作される第３条件が満たされる間は、前記拡大画像用モニタを前記通常表示モードに切り替え、前記第３条件が満たされない間は、前記拡大画像用モニタを前記低輝度表示モードに切り替えることを特徴とする請求項１ないし３いずれか１項記載の表示装置。
【請求項８】
装置全体に電力を供給する電池と、
前記電池の電池残量を検出する電池残量検出手段と、
前記電池残量が所定の閾値を下回ったか否かを判定する判定手段とを備え、
前記第１表示モード切替手段は、前記第１及び第２条件が満たされたときに、前記第３条件、または前記電池残量が前記閾値を超えている第４条件の少なくともいずれか一方が満たされている間は、前記拡大画像用モニタを前記通常表示モードに切り替え、前記第３及び第４条件の両方が満たされない間は、前記拡大画像用モニタを前記低輝度表示モードに切り替えることを特徴とする請求項７記載の表示装置。
【請求項９】
被写体を撮像して画像を得る撮像手段と、前記撮像手段より入力される前記画像を表示する請求項１ないし８いずれか１項記載の表示装置とを備えることを特徴とする撮像装置。
【請求項１０】
前記操作スイッチは、シャッタボタンであることを特徴とする請求項９記載の撮像装置。
【発明の詳細な説明】
【技術分野】
【０００１】
本発明は、入力された画像を表示する表示装置、及びこの表示装置を備える撮像装置に関するものである。
【背景技術】
【０００２】
近年、被写体光を光電変換する撮像素子を備えたデジタルカメラが普及している。デジタルカメラには、液晶ディスプレイ（以下、単にＬＣＤという）などの小型の表示装置が設けられているのが通常であり、ユーザは、撮影モード下においてＬＣＤに表示されるスルー画を見ながら被写体のフレーミングを行って撮影する。このようなデジタルカメラは、被写体を最適な条件で撮影するために様々な機能を備えている。
【０００３】
例えば、被写体画像を解析して人物の顔などの主要被写体を検出し、顔を検出したときに顔を拡大した顔拡大画像をＬＣＤの全画面に表示する機能を備えたデジタルカメラが良く知られている（特許文献１〜３参照）。これにより、ユーザは撮影を行う際に、顔にピントが合っているか否かを容易に確認することができる。さらに、顔検出時にＬＣＤの全画面に顔を拡大表示する代わりに、顔拡大画像と被写体画像の全体画像とをＬＣＤに同時表示可能なデジタルカメラも知られている（特許文献４参照）。
【０００４】
また、例えば、カメラ本体にＬＣＤ等の小型表示装置が複数設けられたデジタルカメラも良く知られている（特許文献５及び６参照）。このようなデジタルカメラでは、１つのＬＣＤに全体画像を表示して、他のＬＣＤに被写体画像の中央を拡大表示することができる。このため、ユーザは撮影を行う際に中央拡大画像を見ることで、ピントが合っているか否かを容易に確認することができる。
【特許文献１】特開２００４−１９３９３３号公報
【特許文献２】特開２００５−３１１８８８号公報
【特許文献３】特開２００６−２６１７１１号公報
【特許文献４】特開２００５−３１８５１５号公報
【特許文献５】特開２００５−８６２８３号公報
【特許文献６】特開２００５−２７８０５８号公報
【発明の開示】
【発明が解決しようとする課題】
【０００５】
ところで、上記特許文献１〜３記載のデジタルカメラでは、撮影時にＬＣＤの全画面に顔拡大画像が表示されて、全体画像が表示されなくなってしまう。このため、フレーミングを行う際にＬＣＤの表示を顔拡大画像と全体画像とに切り替える必要があり、撮影に手間が掛かるという問題がある。また、上記特許文献４のデジタルカメラでは、ＬＣＤに顔拡大画像と全体画像とを同時表示できるものの、近年のデジタルカメラの小型化に伴いＬＣＤの画面サイズの大きさにも制限があるため、両画像が小さく表示されてしまう。その結果、顔拡大画像によるピントの確認や、全体画像によるフレーミングの確認は困難になってしまう。
【０００６】
また、上記特許文献５及び６記載されている複数のＬＣＤ等を有するデジタルカメラでは、撮影時にピントが合っているか否かを容易に確認することを目的として被写体画像の中央を拡大表示することが記載されているものの、人物の顔を検出して顔のピントを合わせることが考慮されていない。このため、人物の顔が被写体画像の中央にある場合には特に問題はないが、顔が被写体画像の中央にない場合には、顔拡大画像の表示ができないという問題がある。つまり、上記特許文献５及び６記載では、顔拡大画像によるピントの確認を行う場合には被写体の構図が限定されてしまう。
【０００７】
さらに、デジタルカメラにおいては、ＬＣＤの光源（ＬＥＤ等）の電力消費量が一番大きいが、上記特許文献５及び６では複数のＬＣＤ等で同時表示を行った際の消費電力増大化が考慮されていない。このため、上記特許文献５及び６記載のデジタルカメラのように複数のＬＣＤ等を備えている場合には、各ＬＣＤによる消費電力が大きくなるため、デジタルカメラの電池の電池残量が直ぐに少なくなるという問題が発生する。
【０００８】
本発明は上記問題を解決するためのものであり、顔拡大画像及び被写体画像の全体画像の確認が容易に可能で、さらに省電力化が可能な表示装置及び撮像装置を提供することを目的とする。
【課題を解決するための手段】
【０００９】
上記問題を解決するため、本発明の表示装置は、画像が入力される画像入力手段と、前記画像の全体画像を表示する全体画像用モニタと、前記画像を解析して主要被写体像を検出する主要被写体像検出手段と、前記主要被写体像検出手段により検出された前記主要被写体像を拡大処理する画像拡大処理手段と、前記主要被写体像の拡大画像を表示する拡大画像用モニタと、前記拡大画像用モニタを、前記拡大画像を表示する通常表示モードと、前記拡大用モニタをオフにする表示停止モード、または前記通常表示モード時よりも前記拡大画像用モニタの輝度を低くした低輝度表示モードの少なくともいずれか一方とに切替可能な第１表示モード切替手段とを備えることを特徴とする。
【００１０】
前記第１表示モード切替手段は、前記主要被写体像検出手段により前記主要被写体像が検出される第１条件が満たされないときは、前記拡大画像用モニタを前記表示停止モードに切り替えることが好ましい。
【００１１】
前記拡大画像用モニタは、前記画像入力手段を収納する筐体内に収納された収納状態と、前記筐体から突出した突出状態とに移動可能に保持されているとともに、前記拡大画像用モニタが前記突出状態にあるか否かを検出するモニタ状態検出手段を備え、前記第１表示モード切替手段は、前記拡大画像用モニタが前記突出状態にある第２条件が満たされないときは、前記拡大画像用モニタを前記表示停止モードに切り替えることが好ましい。
【００１２】
前記拡大画像用モニタに前記拡大画像を表示するための操作を行う操作スイッチを備えており、前記第１表示モード切替手段は、前記操作スイッチが操作される第３条件を満たしていないときは、前記拡大画像用モニタを前記表示停止モードに切り替えることが好ましい。
【００１３】
装置全体に電力を供給する電池と、前記電池の電池残量を検出する電池残量検出手段と、前記電池残量が所定の閾値を下回ったか否かを判定する判定手段とを備え、前記第１表示モード切替手段は、前記電池残量が前記閾値を超えている第４条件が満たされないときは、前記拡大画像用モニタを前記表示停止モードに切り替えることが好ましい。
【００１４】
前記全体画像用モニタを、前記全体画像をモニタ画面全体に表示する全画面表示モードと、前記モニタ画面に前記全体画像及び前記拡大画像を並べて表示する画像同時表示モードとに切替可能な第２表示モード切替手段を備え、前記第２表示モード切替手段は、前記拡大画像用モニタが前記表示停止モードに切り替えられた際に前記第１条件が満たされていれば、前記全体画像用モニタを前記画像同時表示モードに切り替えることが好ましい。
【００１５】
前記拡大画像用モニタに前記拡大画像を表示するための操作を行う操作スイッチを備えており、前記第１表示モード切替手段は、前記第１及び第２条件が満たされたときに、前記操作スイッチが操作される第３条件が満たされる間は、前記拡大画像用モニタを前記通常表示モードに切り替え、前記第３条件が満たされない間は、前記拡大画像用モニタを前記低輝度表示モードに切り替えることが好ましい。
【００１６】
装置全体に電力を供給する電池と、前記電池の電池残量を検出する電池残量検出手段と、前記電池残量が所定の閾値を下回ったか否かを判定する判定手段とを備え、前記第１表示モード切替手段は、前記第１及び第２条件が満たされたときに、前記第３条件、または前記電池残量が前記閾値を超えている第４条件の少なくともいずれか一方が満たされている間は、前記拡大画像用モニタを前記通常表示モードに切り替え、前記第３及び第４条件の両方が満たされない間は、前記拡大画像用モニタを前記低輝度表示モードに切り替えることが好ましい。
【００１７】
上記問題を解決するため、本発明の撮像装置は、被写体を撮像して画像を得る撮像手段と、前記撮像手段より入力される前記画像を表示する請求項１ないし９いずれか１項記載の表示装置とを備えることを特徴とする。
【００１８】
前記操作スイッチは、シャッタボタンであることが好ましい。
【発明の効果】
【００１９】
本発明は、画像入力手段に入力された画像の全体画像を全体画像用モニタに表示しつつ、入力された画像を解析して検出された主要被写体像の拡大画像を拡大画像用モニタに表示するとともに、拡大画像用モニタを通常表示モードと、表示停止モードまたは低輝度表示モードの少なくともいずれか一方とに切替可能にしたので、全体画像及び拡大画像を同時に確認することができる。これにより、特に本発明をデジタルカメラ等の撮像装置に適用した場合に、両モニタにそれぞれ表示される全体画像、主要被写体である人物の顔拡大画像に基づき、フレーミング及び人物の顔のピントを同時に確認することができる。その結果、撮像装置の操作性が向上する。また、全体画像用モニタ及び拡大画像用モニタによる同時表示を行う場合に、拡大画像用モニタによる電力消費を可能な限り抑えて省電力化を図ることができる。
【００２０】
また、主要被写体像が検出されない時、拡大画像用モニタが筐体から突出した突出状態にない時、操作スイッチが操作されていない時、電池残量が所定の閾値を下回った時に、拡大画像用モニタを表示停止モードに切り替えるようにしたので、同様に省電力化を図ることができる。
【００２１】
また、操作スイッチが操作されていない時、電池残量が所定の閾値を下回った時に、拡大画像用モニタを低輝度表示モードに切り替えるようにしたので、同様に省電力化を図ることができる。
【発明を実施するための最良の形態】
【００２２】
図１〜図３に示すように、本発明の第１実施形態であるデジタルカメラ１０は、本発明の表示装置を備えた撮像装置に相当するものであり、そのカメラ本体１０ａ（筐体）の前面には、撮影レンズ１２が組み込まれたレンズ鏡筒１４やストロボ発光部１６などが設けられている。
【００２３】
カメラ本体１０ａの背面には、本発明の全体画像用モニタに相当する第１ＬＣＤ２０や、複数の操作部材からなる操作部２２などが設けられている。第１ＬＣＤ２０は、スルー画、再生画像、及び各種設定画像などを表示する。
【００２４】
操作部２２は、ズーム操作ボタン２４、メニューボタン２６、及び十字キー２８などから構成される。ズーム操作ボタン２４は、撮像レンズ１２のズームレンズをワイド側、テレ側に変倍する際に操作される。メニューボタン２６は、第１ＬＣＤ２０にメニュー画面を表示する際や選択内容を決定する際などに操作される。十字キー２８は、メニュー画面内のカーソルを移動させる。
【００２５】
カメラ本体１０ａの側面には、メモリカード３０（図４参照）が着脱自在に装填されるメモリカードスロット３２が露呈される。このカードスロット３２の開口部は、図示しないカード装填蓋により開閉される。また、カメラ本体１０ａの底面には、図示は省略するが電池蓋により開閉される電池収納室が設けられている。この電池収納室にはデジタルカメラ１０の電源となる電池３３（図３参照）が収納される。
【００２６】
カメラ本体１０ａの上面には、シャッタボタン（レリーズボタン）３４と電源ボタン３６と、モード切替ダイヤル３８とが設けられている。シャッタボタン３４は、２段階押しのスイッチである。このシャッタボタン３４が半押しされたときに各種撮影準備処理が実行され、この状態でシャッタボタン３４が更に押し込まれる全押しされたときに撮影処理が実行される。電源ボタン３６は、デジタルカメラ１０の電源のＯＮ／ＯＦＦを切り替える際に操作される。
【００２７】
モード切替ダイヤル３８は、デジタルカメラ１０のカメラ動作モードを切り替える際に操作される。カメラ動作モードとしては、第１ＬＣＤ２０のみを起動（オン）して被写体のフレーミングを行って静止画撮影を行う静止画撮影モードや、第１ＬＣＤ２０に画像を再生表示させる再生モードなどの他に、顔画像拡大モード（２画面表示モード）が選択可能である。顔画像拡大モードは、詳しくは後述するが、第１ＬＣＤ２０と第２ＬＣＤ４０とを起動（オン）して２画面表示を行うことにより、被写体のフレーミング・静止画撮影を行うカメラ動作モードである。
【００２８】
また、カメラ本体１０ａの上面には、人物の顔の拡大画像を表示する所謂ポップアップ式の第２ＬＣＤ４０が設けられている。第２ＬＣＤ４０は、カメラ本体１０ａ内に設けられた図示しないモニタ保持機構により、その表示画面がカメラ本体１０ａの背面側を向くように保持されている。このモニタ支持機構により、第２ＬＣＤ４０は、カメラ本体１０ａの上面に形成された開口部１０ｂより突出した突出位置（図３参照）と、カメラ本体１０ａ内に収納された収納位置（図２参照）とに上下方向に移動可能に保持される。なお、モニタ支持機構は、第２ＬＣＤ４０を突出位置と収納位置とにそれぞれ係止可能な係止機構（図示せず）を備えている。
【００２９】
本実施形態では、第２ＬＣＤ４０の突出位置、収納位置への移動は撮影者（ユーザ）により手動で行われる。カメラ動作モードが顔画像拡大モード以外のときは、第２ＬＣＤ４０は収納位置で保持される。そして、カメラ動作モードを顔画像拡大モードに切り替えたら、ユーザは、収納位置にある第２ＬＣＤ４０の上端部を把持して、この第２ＬＣＤ４０を突出位置に引き出す。これにより、顔画像拡大モード下において第１及び第２ＬＣＤ２０，４０による２画面表示が可能となる。
【００３０】
図４に示すように、撮影レンズ１２は、ズームレンズ４２、フォーカスレンズ４３、絞り４４から構成される。ズームレンズ４２及びフォーカスレンズ４３は、それぞれズームモータ４６、フォーカスモータ４７により駆動され、撮影光軸ＯＡに沿って前後移動される。また、絞り４４は、アイリスモータ４８により駆動され、絞り開口径を変化させて絞り値を切り替える。各モータ４６〜４８は、ステッピングモータからなり、ＣＰＵ５０に接続されたモータドライバ５２から送信される駆動パルスにより動作制御される。
【００３１】
撮影レンズ１２の背後には、ＣＣＤイメージセンサ（以下、単にＣＣＤという）５４が配置されている。なお、ＣＣＤ５４の代わりにＭＯＳ型のイメージセンサを用いてもよい。ＣＣＤ５４は、周知のように、複数の光電変換素子が並べられた光源変換面を備え、この光電変換面に入射した被写体光を光電変換した撮像信号を出力する。ＣＣＤ５４には、ＣＰＵ５０によって制御されるタイミングジェネレータ（ＴＧ）５５が接続され、このＴＧ５５から入力されるタイミング信号（クロックパルス）により、各光電変換素子への電荷蓄積時間が決定される。
【００３２】
ＣＣＤ５４から出力された撮像信号は、アナログ信号処理回路５６に入力される。アナログ信号処理回路５６は、相関二重サンプリング回路（ＣＤＳ）５７、増幅器（ＡＭＰ）５８、Ａ／Ｄ変換器（Ａ／Ｄ）５９を備えている。ＣＤＳ５７は撮像信号から各画素の蓄積電荷量に正確に対応したＲ、Ｇ、Ｂの画像データを生成し、ＡＭＰ５８は生成された画像データを増幅し、Ａ／Ｄ５９は増幅した画像データをデジタル変換する。Ａ／Ｄ５９から出力されたデジタルな画像データは、データバス６０を介して、作業用の画像メモリであるＳＤＲＡＭ６１に一時的に記録される。つまり、撮影レンズ１２、ＣＣＤ５４、及びアナログ信号処理回路５６によって、本発明の撮像手段が構成されている。
【００３３】
画像処理回路６３は、ＳＤＲＡＭ６１から画像データを読み出して、階調変換、ホワイトバランス補正、γ補正処理、ＹＣ変換処理などの各種画像処理を施し、この画像データを再度ＳＤＲＡＭ６１に記録する。画像処理回路６３による画像処理済みの画像データのうち、スルー画として取得されたものは第１表示制御回路６５によりアナログのコンポジット信号に変換され、第１ＬＣＤ２０に表示される。また、シャッタボタン３４の全押しに伴い記録用として取得されたものは圧縮伸長回路６７で所定の圧縮形式（例えばＪＰＥＧ形式）で圧縮された後、メモリカードスロット３２を経由してメモリカード３０に記録される。
【００３４】
第１表示制御回路６５は、第１ＬＣＤ２０の画像表示を制御する。この第１表示制御回路６５は、静止画撮影モード及び顔画像拡大モード下ではスルー画を第１ＬＣＤ２０に表示させ、再生モード下ではメモリカード３０から読み出されて圧縮伸長回路６７で伸長された画像データを、第１ＬＣＤ２０に再生画像として表示する。第２表示制御回路７０は、詳しくは後述する顔画像拡大モード下において第２ＬＣＤ４０の画像表示を制御する。
【００３５】
ＣＰＵ５０は、デジタルカメラ１０を統括的に制御するために設けられており、デジタルカメラ１０の各部に接続されている。ＣＰＵ５０は、図示しないＲＯＭに記憶された各種制御用のプログラムや設定情報などに基づいて、接続された各部を駆動制御する。デジタルカメラ１０の各部には、電池３３から電源回路７１を介して電力が送られる。この電池３３の電池残量は、本発明の電池残量検出手段に相当する電池残量検出回路７２により検出される。
【００３６】
電池残量検出回路７２は、電池３３の出力電圧等に基づき電池残量を検出して、この電池残量検出結果をＣＰＵ５０に入力する。ＣＰＵ５０は、電池残量が所定の値を下回っている場合には、第１表示制御回路６５に制御信号を送って第１ＬＣＤ２０に警告メッセージ等を表示させる。なお、電池残量検出回路７２による電池残量の検出方法は各種方法を用いてよい。
【００３７】
また、ＣＰＵ５０には、ＡＥ制御部７４やＡＦ制御部７５などが設けられている。ＡＥ制御部７４及びＡＦ制御部７５は、シャッタボタン３４が半押しされたときに、アイリスモータ４８及びＴＧ５５を駆動して露出制御を行うとともに、フォーカスモータ４７やＣＣＤ５４を駆動して焦点調整を行う。なお、露出制御や焦点調整（オートフォーカス制御）は、周知であるため詳しい説明は省略する。また、図４中の符号７７は、デジタルカメラ１０を電力消費が抑えられる省電力モードに切り替えるための切替スイッチであり、詳しくは後述するのでここでは説明を省略する。
【００３８】
図５に示す静止画撮影モード下において、第１表示制御回路６５は、第１ＬＣＤ２０にスルー画、つまり、被写体画像の全体画像（全体画角ともいう）８５を表示する。次いで、図６に示すように第２ＬＣＤ４０を突出位置に移動させた後、モード切替ダイヤル３８によりカメラ動作モードを顔画像拡大モードに切り替えると、ＣＰＵ５０は顔検出回路７８を作動させる。顔検出回路７８は、本発明の主要被写体像検出手段に相当するものであり、ＳＤＲＡＭ６１に記憶された画像データに基づき、被写体画像から主要被写体である人物８０の顔を検出する。
【００３９】
人物８０の顔を検出する際には例えば人物８０の両目が存在する領域が特定され、人物８０の両目を検出することによって人物の有無が判断される。そして、人物８０の両目が存在する領域が特定されると、人物８０の肌や髪の色とこれらの位置関係から顔の輪郭が特定され、肌色の領域の面積から顔の大きさが求められる。これにより、人物８０の顔領域（２点鎖線で囲われる矩形の枠）８１が特定され、この顔領域８１内の画像が人物８０の顔画像８２となる。なお、図中の符号８３は背景である。この顔検出処理は、ＳＤＲＡＭ６１にスルー画として取得された新たな画像データが書き込まれる度、或いは一定時間間隔で行われる。なお、顔検出処理をシャッタボタン３４が半押しされたときに開始するようにしてもよい。
【００４０】
第２表示制御回路７０の表示処理部７０ａ（図４参照）は、顔領域８１が特定されたら、ＳＤＲＡＭ６１に記憶された画像データから顔画像８２に対応する顔画像データを抽出する。次いで、表示処理部７０ａは、顔画像８２が第２ＬＣＤ４０の画面に収まるほぼ最大サイズとなるように、この顔画像８２を電子的に拡大した顔拡大画像８６を第２ＬＣＤ４０に表示させる。これにより、第１ＬＣＤ２０に全体画像８５が表示され、第２ＬＣＤ４０に顔拡大画像８６が表示される２画面表示が行われる。
【００４１】
このように第１及び第２ＬＣＤ２０，４０で２画面表示を行う場合には、上述したように両ＬＣＤ２０，４０のバックライト（ＬＥＤ等）による消費電力が大きくなってしまう。このため、顔画像拡大モード下においても第２ＬＣＤ４０が突出位置にない場合には、第２ＬＣＤ４０をオフにする。なお、ＬＣＤの「オフ」とは、ＬＣＤへの電力供給をオフにすることであり、消費電力の大きいＬＣＤのバックライト（ＬＥＤ等）を消灯することである。
【００４２】
カメラ本体１０ａ（図１〜図３参照）内には、第２ＬＣＤ４０の位置を検出するＬＣＤ位置検出センサ（以下、単に検出センサという）８８が設けられている。検出センサ８８は、本発明のモニタ状態検出手段に相当するものであり、例えば、接触センサや磁気センサなどの各種センサが用いられる。検出センサ８８は、第２ＬＣＤ４０が突出位置にあるか否かを検出して、第２ＬＣＤ４０が突出位置にある場合のみＣＰＵ５０にＯＮ信号を入力し、第２ＬＣＤ４０が突出位置から収納位置に向かって移動されたらＣＰＵ５０へのＯＮ信号の入力を停止する。
【００４３】
ＣＰＵ５０内の第１表示モード切替制御部９０（第１表示モード切替手段）は、検出センサ８８よりＯＮ信号が入力されている間は、第２ＬＣＤ４０の表示モードを顔拡大画像８６が表示される通常表示モードに設定する。そして、第１表示モード切替制御部９０は、検出センサ８８からのＯＮ信号の入力が停止されたら、表示モードを第２ＬＣＤ４０がオフにされる表示停止モードに切り替える。表示モードが通常表示モードから表示停止モードに切り替えられたら、第２表示制御回路７０は第２ＬＣＤ４０をオフにする。なお、表示停止モード切替時には、電源回路７１から第２ＬＣＤ４０への電力供給を停止させるようにしてもよい。
【００４４】
顔画像拡大モード下において、第２ＬＣＤ４０が収納位置や、突出位置と収納位置との間にある場合には、第２ＬＣＤ４０は表示停止モードに切り替えられるので、デジタルカメラ１０は第１ＬＣＤ２０のみがオンにされる静止画撮影モードで動作する。これにより、第２ＬＣＤ４０を何も表示はしないがバックライトは点灯させたままの状態（以下、黒表示状態という）にしておく場合よりも、電力の消費を抑えることができる。この状態から第２ＬＣＤ４０が突出位置に移動されると、第１表示モード切替制御部９０は、表示モードを表示停止モードから通常表示モードに切り替える。第２表示制御回路７０は、第２ＬＣＤ４０をオンにして、拡大画像８６を第２ＬＣＤ４０に表示させる。
【００４５】
また、顔画像拡大モード下における更なる省電力化のために、第１表示モード切替制御部９０は、顔検出により人物８０の顔が検出されていないときも第２ＬＣＤ４０を表示停止モードに設定する。これにより、顔画像拡大モード下において顔検出回路７８により人物８０の顔が検出されていないときも、同様に第２ＬＣＤ４０がオフされる。
【００４６】
次いで、顔検出回路７８により人物８０の顔が検出されたら、第１表示モード切替制御部９０は、第２ＬＣＤ４０を通常表示モードに切り替えるため、同様に第２ＬＣＤ４０に顔拡大画像８６が表示される。つまり、第１実施形態では、顔画像拡大モード下において、顔検出回路７８により顔検出される「第１条件」と、第２ＬＣＤ４０が突出位置にある「第２条件」とを満たしたときにのみ、第２ＬＣＤ４０に顔拡大画像８６が表示される。
【００４７】
次に図７のフローチャートを用いて第１実施形態のデジタルカメラ１０の作用について説明を行う。デジタルカメラ１０の電源ボタン３６がＯＮされたら、電源回路７１は電池３３の電力をカメラの各部に供給する。そして、カメラ動作モードが静止画撮影モード或いは顔画像拡大モードに設定されていると、第１ＬＣＤ２０がオンされて全体画像８５が表示される。カメラ動作モードが静止画撮影モードに設定されていた場合には、第２ＬＣＤ４０はオフされたままである。
【００４８】
ＣＰＵ５０は、カメラ動作モードが顔画像拡大モードに切り替えられるのと同時に、顔検出回路７８を作動させる。顔検出回路７８は、ＳＤＲＡＭ６１に記憶されている画像データに基づき、被写体画像から人物８０の顔を検出して、その顔領域８１を特定する（図６参照）。この際に、第１表示モード切替制御部９０は、顔検出回路７８により人物の顔が検出される第１条件が満たされない場合には、第２ＬＣＤ４０を表示停止モードに設定するため、第２ＬＣＤ４０はオフされたままである。そして、第１表示モード切替制御部９０は、顔検出回路７８により人物８０の顔が検出されたら、第２ＬＣＤ４０が突出位置にあるか否かを判定する。なお、上述したよう顔検出処理は、シャッタボタン３４が半押しされたときに開始されるようにしてもよい。
【００４９】
第１表示モード切替制御部９０は、検出センサ８８からＯＮ信号が入力されるか否かに基づき、第２ＬＣＤ４０が突出位置にあるか否かを判定する。そして、第１表示モード切替制御部９０は、第２ＬＣＤ４０が突出位置にある第２条件を満たしていないときは、第２ＬＣＤ４０の表示モードを表示停止モードに切り替える。この場合にも第２ＬＣＤ４０はオフされたままである。そして、第１表示モード切替制御部９０は、第２条件も満たされたら第２ＬＣＤ４０を通常表示モードに切り替える。なお、図中では、第２ＬＣＤ４０の位置検出の前に顔検出処理が開始されているが、実際にはこれらの処理はほぼ同時に行われる。
【００５０】
第２ＬＣＤ４０が通常表示モードに切り替えられると、第２表示制御回路７０によりオフ状態の第２ＬＣＤ４０がオンされるのと同時に、表示処理部７０ａによりＳＤＲＡＭ６１から顔画像８２に対応する顔画像データが抽出されて、第２ＬＣＤ４０に顔拡大画像８６が表示される。これにより、第１及び第２ＬＣＤ２０，４０に、それぞれ全体画像８５、顔拡大画像８６が表示される２画面表示が行われる。
【００５１】
２画面表示中も第１表示モード切替制御部９０は、上述の第１及び第２条件が満たされているか否かを常時、或いは一定時間間隔でチェックする。そして、第１及び第２条件が両方とも満たされている場合には、引き続き第２ＬＣＤ４０に顔拡大画像８６を表示させ、両条件のいずれか一方が満たされなくなった場合には、第２ＬＣＤ４０の表示モードを表示停止モードに切り替えて、第２ＬＣＤ４０をオフさせる。
【００５２】
ユーザは、２画面表示が開始されたら、第１ＬＣＤ２０に表示される全体画像８５を見ながらフレーミングを行いつつ、第２ＬＣＤ４０に表示される顔拡大画像８６により人物８０の顔にピントが合っているか否かを確認する。ユーザは、全体画像８５のフレーミングと、拡大画像８６のピントとが確認されたら、シャッタボタン３４を半押しする。これにより、ＡＥ制御部７４及びＡＦ制御部７５による露出制御、焦点調整が行われる。ユーザは、第２ＬＣＤ４０に表示される顔拡大画像８６により、焦点調節後の人物８０の顔にピントがあっているか否かも確認することができる。なお、第２ＬＣＤ４０がオフされている場合でもシャッタボタン３４を半押しすることで、静止画撮影モード時と同様に露出制御、焦点調整が行われる。
【００５３】
その後、ＣＰＵ５０は、シャッタボタン３４が全押しされたか否かを判定する。全押しされていないと判定された場合、全押しされるまで待機状態となる。また、シャッタボタン３４が全押しされたと判断されたら、ＣＰＵ５０はＣＣＤ５４に撮影処理を実行させる。
【００５４】
ＣＣＤ５４から出力された撮像信号は、アナログ信号処理回路５６によりデジタルな画像データに変換され、この画像データは、画像処理回路６３、圧縮伸長回路６７等により各種画像処理・圧縮処理が施され後、メモリカードスロット３２を経由してメモリカード３０に記憶される。次の撮影がある場合には上述の処理を繰り返せばよい。
【００５５】
以上のように本発明の第１実施形態では、撮影時に第１ＬＣＤ２０に被写体画像の全体画像８５を表示させるのと同時に、第２ＬＣＤ４０に被写体画像中の人物８０の顔拡大画像８６を表示させる２画面表示を行うようにしたので、ユーザは、両ＬＣＤ２０，４０にそれぞれ表示される全体画像８５、顔拡大画像８６により、フレーミング及び人物８０の顔のピントを確認することができる。これにより、デジタルカメラ１０の操作性が向上する。
【００５６】
また、顔検出回路７８により人物８０の顔が検出される第１条件と、第２ＬＣＤ４０が突出位置にある第２条件との少なくともいずれか一方を満たしていないときに、第２ＬＣＤ４０を通常表示モードから表示停止モードに切り替えてオフにするようにしたので、２画面表示を行う場合でも第２ＬＣＤ４０による電力消費を可能な限り抑えて、省電力化を図ることができる。
【００５７】
なお、上記第１実施形態では、被写体画像中に人物８０が１人しかいない場合を例に挙げて説明を行ったが、本発明はこれに限定されるものではない。例えば図８に示すように被写体画像に人物が２人以上いてもよい。この場合には、顔検出回路７８は、人物８０，９３の顔を検出して、それぞれ顔領域８１，９４を特定する。
【００５８】
第２表示制御回路７０の表示処理部７０ａは、２つの顔領域８１，９４が特定されたら、ＳＤＲＡＭ６１に記憶された画像データからそれぞれの顔画像８２，９５に対応する顔画像データを抽出する。次いで、表示処理部７０ａは、第２ＬＣＤ４０の画面を２つの小画面領域４０ａ，４０ｂに分割して、顔画像８２，９５が各小画面領域４０ａ，４０ｂに収まるほぼ最大サイズとなるように、各顔画像８２，９５を電子的に拡大した顔拡大画像８６、９６を小画面領域４０ａ，４０ｂにそれぞれ表示させる。これにより、ユーザは、第２ＬＣＤ４０に表示される顔拡大画像８６，９６に基づき、両人物８０，９３の顔にそれぞれピントが合っているか否かを確認することができる。
【００５９】
また、人物が３人以上いた場合も同様に、各人物の顔拡大画像が第２ＬＣＤ４０に並べて表示される。なお、図８に示す実施形態では顔拡大画像８６、９６がほぼ同じサイズに拡大されているが、本発明はこれに限定されるものではなく、顔拡大画像８６、９６の拡大率を変えてもよい。例えば、両顔領域８１，９４のエリアサイズの大小を比較した結果に基づき、人物８０が撮影者（ユーザ）に対して近い方に位置し、人物９３が撮影者に対して遠い方に位置している場合には、近くの人物８０の顔拡大画像８６を、遠くの人物９３の顔拡大画像９６よりも大きく拡大してもよい。
【００６０】
また、上記第１実施形態では、上述の第１条件（顔検出）及び第２条件（ＬＣＤ位置）の少なくともいずれか一方を満たしていないときに、第２ＬＣＤ４０を表示停止モードに切り替えて、第２ＬＣＤ４０をオフさせるようにしているが、本発明はこれに限定されるものではない。例えば顔画像拡大モード下における更なる省電力化のために、第１及び第２条件に加えて、シャッタボタン３４が押下されている第３条件を満たしていないときも第２ＬＣＤ４０を表示停止モードに切り替えるようにしてもよい。
【００６１】
この第３条件のみを満たしていない場合の表示停止モードへの切り替えは、上述の省電力モード切替スイッチ７７がオンされてデジタルカメラ１０が省電力モードに設定されたときに行われる。この場合のデジタルカメラ１０の作用について、図９のフローチャートを用いて説明する。
【００６２】
図９に示すように、電源がオンされて省電力モード及び顔画像拡大モードが設定された後、第２ＬＣＤ４０の位置検出が完了するまでは図７のフローチャートと同じであるので説明は省略する。第１表示モード切替制御部９０は、上述の第１及び第２条件が満たされている場合においても、シャッタボタン３４が押下されている第３条件が満たされていない場合には、第２ＬＣＤ４０を表示停止モードに設定するので、第２ＬＣＤ４０はオフされたままである。なお、第３条件のみが満たされていない場合には、例えば図１０に示すように、人物８０の顔画像８２を拡大しないでそのまま第２ＬＣＤ４０に表示させるようにしてもよい。
【００６３】
図９において、シャッタボタン３４が半押しされて第１〜第３条件の全てが満たされると、第１表示モード切替制御部９０は、第２ＬＣＤ４０の表示モードを通常表示モードに切り替える。これにより、第２ＬＣＤ４０がオンされて、第１及び第２ＬＣＤ２０，４０にそれぞれ全体画像８５、顔拡大画像８６が表示される２画面表示が行われる。また、これと同時に露出制御、焦点調整も行われる。
【００６４】
シャッタボタン３４が半押しされている間（２画面表示中）は、第１表示モード切替制御部９０は、上述の第１〜第３条件が全て満たされているか否かをチェックする。そして、第１〜第３条件のいずれか１つが満たされなくなったら、第２ＬＣＤ４０の表示モードを表示停止モードに切り替えて、第２ＬＣＤ４０をオフさせる。そして、シャッタボタン３４が全押しされたら、上述の撮影処理が実行される。
【００６５】
なお、図９中ではシャッタボタン３４が半押しされる前に顔検出処理が行われているが、上述したように、シャッタボタン３４が半押しされたときに顔検出処理を行うようにしてもよい。
【００６６】
以上のように、上述の第１条件及び第２条件に加えて、シャッタボタン３４が押下される第３条件を満たしていないときも、第２ＬＣＤ４０を表示停止モードに切り替えてオフにするようにしたので、よりいっそうの省電力化を図ることができる。
【００６７】
次に、図１１を用いて本発明の第２実施形態のデジタルカメラ１００について説明を行う。なお、上記第１実施形態のデジタルカメラ１０と機能・構成上同一のものについては、同一符号を付してその説明は省略する（第３実施形態以降も同様）。
【００６８】
デジタルカメラ１００は、基本的にはデジタルカメラ１０と同じ構成であり、上述の第１条件（顔検出）及び第２条件（ＬＣＤ位置）の少なくともいずれか一方が満たされていないときに、第２ＬＣＤ４０を表示停止モードに切り替えてオフにする。ただし、デジタルカメラ１００では、省電力モード設定下において上述の第３条件（シャッタボタン押下）が満たされていないときは、第２ＬＣＤ４０の画面の輝度を低くする。このため、ＣＰＵ５０には第１表示モード切替制御部１０２が設けられ、第２表示制御回路７０には輝度調節部７０ｂが設けられている。
【００６９】
第１表示モード切替制御部１０２は、基本的には上記第１実施形態の第１表示モード切替制御部９０と同じであるが、上述の第１及び第２条件が満たされ且つ第３条件が満たされていないときに、第２ＬＣＤ４０を低輝度モードに切り替える。表示モードが低輝度モードに切り替えられると、上述したように第２ＬＣＤ４０がＯＮされて顔拡大画像８６が表示されるが、この際に、輝度調節部７０ｂによりバックライト（ＬＥＤ等）の明るさが通常表示モード時の明るさよりも低く調整された低輝度状態に設定される。これにより、第２ＬＣＤ４０には通常表示モード時よりも低輝度で顔拡大画像８６が表示される。上述したように、デジタルカメラにおいてはＬＣＤのバックライトの電力消費量が一番大きい。このため、バックライトの明るさを低く調整することで、第２ＬＣＤ４０による電力消費を抑えることができる。
【００７０】
低輝度モード下においてシャッタボタン３４が半押しされて第３条件が満たされると、第１表示モード切替制御部１０２は、第２ＬＣＤ４０を通常表示モードに切り替える。このモード切替に応じて、輝度調節部７０ｂは第２ＬＣＤ４０のバックライトの明るさを低輝度モード時よりも高く調整されている通常状態に設定する。これにより、第２ＬＣＤ４０は通常輝度で顔拡大画像８６を表示する。
【００７１】
図１２のフローチャートを用いて第２実施形態のデジタルカメラ１００の作用について説明を行う。なお、電源がオンされて省電力モード及び顔画像拡大モードが設定された後、第２ＬＣＤ４０の位置検出が完了するまでは上記第１実施形態と同じであるため説明は省略する。第１表示モード切替制御部１０２は、上述の第１及び第２条件が満たされている場合においても、シャッタボタン３４が押下されている第３条件が満たされていない場合には、第２ＬＣＤ４０を低輝度モードに切り替える。
【００７２】
低輝度モードに切り替えられると、第２表示制御回路７０により第２ＬＣＤ４０がオンされ、表示処理部７０ａにより顔拡大画像８６が表示されるが、これと同時に、輝度調節部７０ｂにより第２ＬＣＤ４０バックライトの明るさが低輝度状態に設定される。これにより、第２ＬＣＤ４０には低輝度で顔拡大画像８６が表示される。
【００７３】
この状態でシャッタボタン３４が半押しされて第３条件が満たされると、第１表示モード切替制御部１０２により第２ＬＣＤ４０が通常表示モードに切り替えられ、輝度調節部７０ｂによりバックライトの明るさが通常状態に設定される。これにより、第２ＬＣＤ４０に通常輝度で顔拡大画像８６が表示される。また、シャッタボタン３４の半押しにより、露出制御、焦点調整も行われる。
【００７４】
シャッタボタン３４が半押しされている間、第１表示モード切替制御部１０２は、上述の第１〜第３条件が全て満たされているか否かをチェックして、各ＬＣＤ２０，４０の表示モードを切り替え制御する。そして、シャッタボタン３４が全押しされたら、上述の撮影処理が実行される。
【００７５】
以上のように本発明の第２実施形態では、第１及び第２条件を満たしてはいるが、シャッタボタン３４が押下される第３条件を満たしていないときに、第２ＬＣＤ４０を低輝度モードに切り替えて、バックライトの明るさを低輝度状態に設定するようにしたので、上記第１実施形態と同様に、２画面表示を行う場合に第２ＬＣＤ４０による電力消費を可能な限り抑えて、省電力化を図ることができる。
【００７６】
次に、図１３を用いて本発明の第３実施形態のデジタルカメラ１１０について説明を行う。デジタルカメラ１１０は、基本的にはデジタルカメラ１０と同じ構成である。ただし、デジタルカメラ１００では、省電力モード設定下において第１及び第２条件が満たされている場合でも、電池３３の電池残量が所定の閾値を超えている第４条件が満たされていない場合には、第２ＬＣＤ４０を表示停止モードに切り替えてオフにする。
【００７７】
また、第２ＬＣＤ４０がオフにされた場合には、第１ＬＣＤ２０のみで２画面表示を行う。このため、ＣＰＵ５０には、上述の第１表示モード切替制御部９０と基本的に同じ第１表示モード切替制御部９０ａ、電池残量判定部１１１（判定手段）、第２表示モード切替制御部１１２（第２表示モード切替手段）が設けられ、第１表示制御回路６５には表示処理部６５ａが設けられている。
【００７８】
電池残量判定部１１１は、電池残量検出回路７２からＣＰＵ５０に常時或いは一定時間ごとに入力される電池残量の検出信号に基づき、電池３３の電池残量が所定の閾値（例えば最大電池残量の半分）を下回ったか否かを判定する。第１表示モード切替制御部９０ａは、上述の第１条件及び第２条件が満たされている場合においても、電池残量判定部１１１による判定結果に基づき、電池残量が閾値を超えている第４条件が満たされていない場合には、第２ＬＣＤ４０を表示停止モードに切り替えてオフさせる。
【００７９】
第２表示モード切替制御部１１２は、第４条件のみが満たされずに第２ＬＣＤ４０がオフにされたら、第１ＬＣＤ２０を全体画像８５が全画面表示される全画面表示モードから２画面表示モード（画像同時表示モード）に切り替える。
【００８０】
図１４に示すように、２画面表示モードへの切り替えに応じて、第１表示制御回路６５の表示処理部６５ａは、第１ＬＣＤ２０の画面を２つの小画面領域２０ａ，２０ｂに分割して、小画面領域２０ａに収まるように電子的に縮小した全体画像８５ａを小画面領域２０ａに表示させる。これと同時に表示処理部６５ａは、顔検出処理で検出された顔画像８２を小画面領域２０ｂに収まるように電子的に拡大した顔拡大画像８６ａを小画面領域２０ｂに表示させる。これにより、第１ＬＣＤ２０に全体画像８５ａと顔拡大画像８６ａとが２画面表示される。なお、両画像８５ａ，８６ａのサイズ、つまり、小画面領域２０ａ，２０ｂのサイズは適宜変えてもよい。
【００８１】
ユーザは、第１ＬＣＤ２０に２画面表示される全体画像８５ａ、顔拡大画像８６ａにより、フレーミング及び人物８０の顔のピントを確認することができる。この場合には、第１ＬＣＤ２０のみがオンされているので、電力消費が抑えられる。
【００８２】
次に、図１５のフローチャートを用いて本発明の第３実施形態のデジタルカメラ１１０の作用について説明を行う。なお、なお、電源がオンされて省電力モード及び顔画像拡大モードが設定された後、第２ＬＣＤ４０の位置検出が完了するまでは上記第１実施形態と同じであるため説明は省略する。第１表示モード切替制御部９０ａは、上述の第１条件及び第２条件が満たされたら、電池残量判定部１１１の判定結果、つまり、電池残量検出回路７２で検出された電池３３の電池残量が閾値を超えている第４条件を満たしているか否かを参照する。
【００８３】
第１表示モード切替制御部９０ａは、第４条件が満たされている場合、つまり、電池残量＞閾値の場合には、第２ＬＣＤ４０を通常表示モードに切り替える。上述したように、第２ＬＣＤ４０がオンされて、第１及び第２ＬＣＤ２０，４０にそれぞれ全体画像８５、顔拡大画像８６が表示される２画面表示が行われる。ユーザは、第１ＬＣＤ２０に表示される全体画像８５を見ながらフレーミングを行いつつ、第２ＬＣＤ４０に表示される顔拡大画像８６により人物８０の顔にピントが合っているか否かを確認する。
【００８４】
また、第１表示モード切替制御部９０ａは、第４条件が満たされていない場合、つまり、電池残量＜閾値の場合には、第２ＬＣＤ４０を表示停止モードに切り替えてオフにする。これと同時に第２表示モード切替制御部９０ａは、第１ＬＣＤ２０を全画面表示モードから２画面表示モードに切り替える。
【００８５】
２画面表示モードに切り替えられると、第１表示制御回路６５の表示処理部６５ａは、第１ＬＣＤ２０の小画面領域２０ａに全体画像８５ａを表示させ、小画面領域２０ｂに顔拡大画像８６ａを表示させる（図１４参照）。ユーザは、第１ＬＣＤ２０のみに２画面表示される全体画像８５ａ、顔拡大画像８６ａを見ながら、フレーミングと人物８０の顔のピントとを確認する。
【００８６】
第１及び第２ＬＣＤ２０，４０による２画面表示中、及び第１ＬＣＤ２０による２画面表示中に、第１及び第２表示モード切替制御部９０ａ，１１２は、上述の第１、第２、第４条件がそれぞれ満たされているか否かをチェックして、各ＬＣＤ２０，４０の表示モードを切り替え制御する。そして、シャッタボタン３４が半押しされた後、さらに全押しされたら、上述の撮影処理が実行される。
【００８７】
以上のように本発明の第３実施形態では、上記第１実施形態の第１及び第２条件を満たしてはいるが、電池３３の電池残量が所定の閾値を超えている第４条件を満たしていないときに、第２ＬＣＤ４０を表示停止モードに切り替えてオフにするようにしたので、電池残量が少なくなっている場合に電力消費を減らして省電力化を図ることができる。また、第４条件のみが満たされずに第２ＬＣＤ４０がオフにされた場合には、第１ＬＣＤ２０のみでも２画面表示が行えるようにしたので、フレーミングと人物８０の顔のピントとを確認することができる。
【００８８】
なお、上記第３実施形態では、第４条件のみが満たされていないときに、第１ＬＣＤ２０のみで２画面表示を行うようにしているが、本発明はこれに限定されるものではなく、少なくとも第１条件（顔検出）が満たされている状態で第２ＬＣＤ４０がオフされたときに、第１ＬＣＤ２０のみで２画面表示を行ってもよい（図１４参照）。
【００８９】
次に、図１６を用いて本発明の第４実施形態のデジタルカメラ１２０について説明を行う。デジタルカメラ１２０は、基本的には第３実施形態のデジタルカメラ１１０と同じである。ただし、デジタルカメラ１２０では、省電力モード下において第１条件（顔検出）及び第２条件（第２ＬＣＤ位置）が満たされ且つ第４条件（電池残量）が満たされない場合に、上述の第３条件（シャッタボタン押下）が満たされている間は第２ＬＣＤ４０を通常表示モードに切り替え、第３条件が満たされない間は第２ＬＣＤ４０を低輝度モードに切り替える。
【００９０】
ＣＰＵ５０には、上述の第２実施形態（図１１参照）の第１表示モード切替制御部１０２とほぼ同じ第１表示モード切替制御部１０２ａが設けられている。第１表示モード切替制御部１０２ａは、第１条件及び第２条件のいずれかが満たされていない場合は、第２ＬＣＤ４０を表示停止モードに切り替えてオフにする。そして、第１表示モード切替制御部１０２ａは、第１、第２、第４条件が満たされている場合には第２ＬＣＤ４０を通常表示モードに切り替え、第４条件のみが満たされない場合には第２ＬＣＤ４０を低輝度モードに切り替える。低輝度モードに切り替えられると、上述したように、輝度調節部７０ｂにより第２ＬＣＤ４０のバックライト（ＬＥＤ等）の明るさが低輝度状態に設定され、顔拡大画像８６が低輝度で第２ＬＣＤ４０に表示される。
【００９１】
低輝度モード下において、シャッタボタン３４が半押しされて第３条件が満たされたら、第１表示モード切替制御部１０２ａは第２ＬＣＤ４０を低輝度モードから通常表示モードに切り替える。この表示モードの切り替えに応じて、輝度調節部７０ｂにより第２ＬＣＤ４０のバックライトの明るさが通常状態に設定される。これにより、電池３３の電池残量が閾値を下回っている場合でも、シャッタボタン３４が押下されている間だけは、顔拡大画像８６が通常輝度で第２ＬＣＤ４０に表示されて、第１及び第２ＬＣＤ２０，４０による２画面表示が行われる。
【００９２】
次に、図１７を用いて本発明の第４実施形態のデジタルカメラ１２０の作用について説明する。なお、第２ＬＣＤ４０の位置検出が完了して、電池３３の電池残量が閾値を超えている第４条件を満たしているか否かの判定を行うまでは上記第３実施形態と同じであるため説明は省略する。
【００９３】
第１表示モード切替制御部１０２ａは、第１、第２、第４条件が満たされている場合には第２ＬＣＤ４０を通常表示モードに切り替える。これにより、第２ＬＣＤ４０がオンされて、第１及び第２ＬＣＤ２０，４０にそれぞれ全体画像８５、顔拡大画像８６が表示される２画面表示が行われる。また、第１表示モード切替制御部１０２ａは、第１及び第２条件は満たされるが第４条件が満たされない場合において、シャッタボタン３４が押下される第３条件が満たされない間は、第２ＬＣＤ４０を低輝度モードに切り替えて、顔拡大画像８６を低輝度で第２ＬＣＤ４０に表示させる。
【００９４】
この状態でシャッタボタン３４が半押しされて第３条件が満たされると、第１表示モード切替制御部１０２ａは、第２ＬＣＤ４０を低輝度モードから通常表示モードに切り替える。これにより、シャッタボタン３４が押下されている間は、顔拡大画像８６が通常輝度で第２ＬＣＤ４０に表示されて、第１及び第２ＬＣＤ２０，４０による通常輝度の２画面表示が行われる。また、また、シャッタボタン３４の半押しにより、露出制御、焦点調整も行われる。
【００９５】
２画面表示中に、第１表示モード切替制御部１０２ａは、上述の第１〜第４条件がそれぞれ満たされているか否かをチェックして、各ＬＣＤ２０，４０の表示モードを切り替え制御する。そして、シャッタボタン３４が全押しされたら、上述の撮影処理が実行される。
【００９６】
以上のように本発明の第４実施形態では、上述の第１及び第２条件を満たしてはいるが、電池３３の電池残量が所定の閾値を超えている第４条件を満たしていない場合において、シャッタボタン３４が押下される第３条件を満たしている間のみ第２ＬＣＤ４０を通常表示モードに切り替え、第３条件を満たしていない間は第２ＬＣＤ４０を低輝度モードに切り替えるようにしたので、上記第３実施形態と同様に、電池残量が少なくなっている場合に電力消費を減らして省電力化を図ることができる。
【００９７】
次に、図１８を用いて本発明の第５実施形態のデジタルカメラ１３０について行う。このデジタルカメラ１３０は、上記第１実施形態のデジタルカメラ１０と基本的に同じである。ただし、デジタルカメラ１３０は、省電力モード下において上述の第１条件（顔検出）が満たされているが第２条件（第２ＬＣＤ位置）が満たされない場合に、上記第３実施形態と同様に第１ＬＣＤ２０のみで２画面表示を行う。このため、ＣＰＵ５０には第２表示モード切替制御部１１２ａが設けられ、第１表示制御回路６５には上述の表示処理部６５ａが設けられている。
【００９８】
第２表示モード切替制御部１１２ａは、第１条件は満たされるが第２条件が満たされずに第２ＬＣＤ４０がオフにされたら、第１ＬＣＤ２０を上述の全画面表示モードから２画面表示モードに切り替えて、第１ＬＣＤ２０のみによる２画面表示を行う（図１４参照）。この状態で第２ＬＣＤ４０が突出位置に移動されて第２条件も満たされたら、第１表示モード切替制御部９０は第２ＬＣＤ４０を表示停止モードから通常表示モードに切り替え、第２表示モード切替制御部１１２ａは第１ＬＣＤ２０を２画面表示モードから全画面表示モードに切り替える。
【００９９】
図１９のフローチャートを用いて本発明の第５実施形態のデジタルカメラ１３０の作用について説明を行う。電源がオンされて省電力モード及び顔画像拡大モードが設定された後、第１表示モード切替制御部９０は、第１及び第２条件のいずれかが満たされない場合には第２ＬＣＤ４０を表示停止モードに切り替え、第１及び第２条件の両方が満たされる場合には第２ＬＣＤ４０を通常表示モードに切り替える。
【０１００】
第２表示モード切替制御部１１２ａは、第１条件は満たされるが第２条件が満たされない場合、つまり、人物８０の顔は検出されたが第２ＬＣＤ４０は収納位置などにある場合において、第１ＬＣＤ２０を全画面表示モードから２画面表示モードに切り替える。この表示モード切替に応じて、表示処理部６５ｂにより第１ＬＣＤ２０に全体画像８５ａと顔拡大画像８６ａとが２画面表示される（図１４参照）
【０１０１】
上述したように，第１及び第２表示モード切替制御部９０，１１２ａは、上述の第１、第２条件がそれぞれ満たされているか否かを常時或いは一定時間ごとにチェックして、各ＬＣＤ２０，４０の表示モードを切り替え制御する。そして、シャッタボタン３４が半押しされた後、さらに全押しされたら、上述の撮影処理が実行される。
【０１０２】
以上のように本発明の第５実施形態では、第１条件（顔検出）は満たされているが、第２ＬＣＤ４０が突出位置にある第２条件が満たされない場合でも、第１ＬＣＤ２０のみでも２画面表示が行えるようにしたので、フレーミングと人物８０の顔のピントとを確認することができる。なお、上述したように第１ＬＣＤ２０のみで２画面表示を行った場合には、全体画像及び顔拡大画像の拡大率が小さくなってしまうので、第１及び第２ＬＣＤ２０，４０の両方を用いて２画面表示を行うことが好ましい。
【０１０３】
なお、上記第１〜第５実施形態では、第２ＬＣＤ２０はその表示画面（モニタ画面）がカメラ本体１０ａの背面側を向いた状態で固定されているが、本発明はこれに限定されるものではない。例えば図２０に示すように、第２ＬＣＤ２０を、カメラ本体１０ａ内に設けられた図示しないモニタ保持機構に保持される基台１４０と、基台１４０の上面から鉛直方向に延びた取付軸１４１に取り付けられ、この取付軸１４１回りに回転自在なＬＣＤ本体１４２とから構成される。これにより、第２ＬＣＤ４０が突出位置にあるときに、ＬＣＤ本体１４２を回転させてその表示画面をカメラ本体１０ａの前面側に向けることができる。その結果、ユーザ（撮影者）が自身を撮影する所謂セルフ撮影を行うことができる。
【０１０４】
このようにセルフ撮影を可能にする場合には、例えばＬＣＤ本体１４２の表示画面がカメラ本体１０ａの前面側または背面側のいずれを向いているかを検出する検出センサを設けて、ＬＣＤ本体１４２の表示画面が背面側を向いているときは顔拡大画像８６を表示させ、ＬＣＤ本体１４２の表示画面が前面側を向いているときは全体画像８５を表示させるようにしてもよい。
【０１０５】
なお、上記各実施形態では、第２ＬＣＤ４０の突出位置及び収納位置への移動はユーザが手動で行うようにしているが、本発明はこれに限定されるものではなく、例えば、モータ、ギヤ、リードスクリュウ等から構成されるシフト機構を用いて第２ＬＣＤ４０の移動を自動で行えるようにしてもよい。
【０１０６】
また、上記各実施形態では、第２ＬＣＤ４０はカメラ本体１０ａの上面に設けられているが、本発明はこれに限定されるものではなく、カメラ本体１０ａの側面や底面に設けられていてもよい。
【０１０７】
なお、上記各実施形態では、カメラ本体１０ａ内に収納された収納位置とカメラ本体１０ａから突出した突出位置との間で移動自在な所謂ポップアップ式の第２ＬＣＤ４０を例に挙げて説明したが本発明はこれに限定されるものではく、第２ＬＣＤがヒンジ機構を介してカメラ本体１０ａの上面、底面、側面に取り付けられていてもよい。この場合には、第２ＬＣＤは、その表示画面がカメラ本体１０ａの各面に重ね合わされた重ね合わせ位置と、表示画面がカメラ本体１０ａの背面側を向くように各面から起立した起立位置との間で回動される。
【０１０８】
また、上記各実施形態では、被写体撮影時に第１及び第２ＬＣＤ４０による２画面表示を行う場合を例に挙げて説明を行ったが、本発明はこれに限定されるものではなく、メモリカード３０などから読み出された画像を再生表示する再生モード時にも同様に２画面表示を行うようにしてもよい。
【０１０９】
なお、上記各実施形態では、被写体画像中の主要被写体として人物８０の顔を例に挙げて説明を行ったが、本発明はこれに限定されるものではなく、主要被写体は人物以外の動物、植物、建物など何でもよい。
【０１１０】
また、上記各実施形態では、画像を表示するモニタに液晶ディスプレイを用いた場合を例に挙げて説明を行ったが、本発明はこれに限定されるものではなく、例えば有機または無機エレクトロルミネッセンス（ＥＬ）ディスプレイなどの各モニタを用いることができる。
【０１１１】
なお、上記各実施形態のデジタルカメラは、第１及び第２ＬＣＤの２つのモニタしか設けられていないが、本発明はこれに限定されるものではなく、モニタが３つ以上設けられていてもよい。この場合には、全体画像と顔拡大画像とを表示するモニタがそれぞれ少なくとも１つずつあればよい。また、人物が複数検出された場合には、各人物の顔をそれぞれ別々のモニタに表示させるようにしてもよい。
【０１１２】
また、上記第２〜第５実施形態としてそれぞれ別々のデジタルカメラを例に挙げて説明を行ったが、本発明はこれに限定されるものではない。例えば省電力モード切替ダイヤルを設けて第２〜第５実施形態で説明した省電力制御を１つのデジタルカメラで選択できるようにしてもよい。
【０１１３】
なお、上記各実施形態では、撮像装置としてデジタルカメラを例に挙げて説明を行ったが、本発明はこれに限定されるものではなく、例えばカメラ付き携帯電話機などの各種撮像装置に本発明を適用することができる。また、本発明は撮像装置に限定されるものではなく、例えば、パーソナルコンピュータやハードディスクフォトストレージと、これらにに接続された２台のモニタとからなる画像再生表示装置や、画像入力可能で複数のモニタを備えた各種電子機器（携帯電話機、ゲーム機）などの各種表示装置にも本発明を適用することができる。
【図面の簡単な説明】
【０１１４】
【図１】第１実施形態のデジタルカメラの正面斜視図である。
【図２】第１実施形態のデジタルカメラの背面斜視図であり、第２ＬＣＤが収納位置にある状態を示したものである。
【図３】第１実施形態のデジタルカメラの背面斜視図であり、第２ＬＣＤが突出位置にある状態を示したものである。
【図４】第１実施形態のデジタルカメラの電気的構成を示すブロック図である。
【図５】静止画撮影モード下における第１実施形態のデジタルカメラの背面図である。
【図６】顔画像拡大モード下における第１実施形態のデジタルカメラの背面図である。
【図７】第１実施形態のデジタルカメラの各ＬＣＤの表示制御を説明するためのフローチャートである。
【図８】顔画像拡大モード下における第１実施形態のデジタルカメラの背面図であり、人物が２人いる状態を示したものである。
【図９】第１実施形態のデジタルカメラにおいて、図７とは異なる各ＬＣＤの表示制御を説明するためのフローチャートである。
【図１０】第１実施形態のデジタルカメラの背面斜視図であり、顔画像拡大モード下においてシャッタボタン半押し前の状態を示したものである。
【図１１】第２実施形態のデジタルカメラの電気的構成を示すブロック図である。
【図１２】第２実施形態のデジタルカメラの各ＬＣＤの表示制御を説明するためのフローチャートである。
【図１３】第３実施形態のデジタルカメラの電気的構成を示すブロック図である。
【図１４】顔画像拡大モード下における第３実施形態のデジタルカメラの背面図であり、電池残量が閾値を下回ったときの状態を示したものである。
【図１５】第３実施形態のデジタルカメラの各ＬＣＤの表示制御を説明するためのフローチャートである。
【図１６】第４実施形態のデジタルカメラの電気的構成を示すブロック図である。
【図１７】第４実施形態のデジタルカメラの各ＬＣＤの表示制御を説明するためのフローチャートである。
【図１８】第５実施形態のデジタルカメラの電気的構成を示すブロック図である。
【図１９】第５実施形態のデジタルカメラの各ＬＣＤの表示制御を説明するためのフローチャートである。
【図２０】第２ＬＣＤ表示画面をカメラ本体の前面側に向けることが可能な他の実施形態のデジタルカメラの正面斜視図である。
【符号の説明】
【０１１５】
１０，１００，１１０，１２０，１３０  デジタルカメラ
１０ａ  カメラ本体
２０  第１ＬＣＤ
３３  電池
３４  シャッタボタン
４０  第２ＬＣＤ
５０  ＣＰＵ
６５  第１表示回路制御部
７０  第２表示回路制御部
７０ａ  表示処理部
７０ｂ  輝度調節部
７２  電池残量検出センサ
７８  顔検出回路
８０  人物
８１  顔領域
８２  顔画像
８６  顔拡大画像
８８  ＬＣＤ位置検出センサ
９０，９０ａ，１０２，１０２ａ  第１表示モード切替制御部
１１１  電池残量判定部
１１２，１１２ａ  第２表示モード切替制御部
【図１】
2008236489.tif 000003
【図２】
2008236489.tif 000004
【図３】
2008236489.tif 000005
【図４】
2008236489.tif 000006
【図５】
2008236489.tif 000007
【図６】
2008236489.tif 000008
【図７】
2008236489.tif 000009
【図８】
2008236489.tif 000010
【図９】
2008236489.tif 000011
【図１０】
2008236489.tif 000012
【図１１】
2008236489.tif 000013
【図１２】
2008236489.tif 000014
【図１３】
2008236489.tif 000015
【図１４】
2008236489.tif 000016
【図１５】
2008236489.tif 000017
【図１６】
2008236489.tif 000018
【図１７】
2008236489.tif 000019
【図１８】
2008236489.tif 000020
【図１９】
2008236489.tif 000021
【図２０】
2008236489.tif 000022